Podtech/llm-jp-corpus-v4-ja_patent huggingface dataset:
(57)【要約】      （修正有）【課題】自然石間隔が疎・密安定し、自然石の大きさを、厳選する必要がない自然石を浮き石状態にした土木用コンクリートブロックを提供する。【解決手段】アンカー付自然石のアンカー筋に挿着・脱着できる切り欠きを有し、まだ固まらないコンクリートに働く浮力によって浮く浮力リンク材を用いて、自然石をコンクリートブロック上面から浮き石状態に形成するものである。さらに、浮力リンク材の大きさを自然石の直径または直径以上とすることで自然石間隔を疎・密自由に調整し、加えて、浮力リンク材の厚さを０＜ｔ≦自然石の直径程度とすることで自然石とコンクリート上面の浮き石距離を自由に調整する。【選択図】図２
0003123761.tif 000002
【実用新案登録請求の範囲】
【請求項１】
まだ固まらないコンクリートとアンカー付自然石の間に、挿着・脱着自在の切り欠きを有した浮力リンク材を介在させて、自然石をコンクリートブロック上面から浮き石状態に形成することを特徴とした土木用コンクリートブロック。  
【考案の詳細な説明】
【技術分野】
【０００１】
本考案は、河川護岸や根固工、魚道工、落差工、帯工に敷設する自然石を浮き石状態にした土木用コンクリートブロックに関するものである。
【背景技術】
【０００２】
自然石をコンクリートの中に植石して景観に配慮を払う護岸工法は広く知られて（特
許文献1）また、自然石をコンクリート上面から浮き石状態にした護岸ブロック、魚巣ブ
ロック、魚道ブロックはいくつか考案されている。（特許文献2）ここで、自然石を浮き
石状態する方法は、大別すると、硬化したコンクリートにアンカー埋設用縦穴を形成
して、アンカー付自然石をその縦穴に挿入し、モルタルまたは接着剤などで一体化させ
る方法、硬化したコンクリートからアンカーを突出させておき、アンカー埋設用縦穴
を形成した自然石に挿入し、モルタルまたは接着剤などで一体化させる方法である。
【特許文献１】特開2003-236815
【特許文献２】特開2003-245911
【特許文献３】実用新案3069039
【特許文献４】特開2002-61149
【特許文献５】特開2000-80628
【考案の開示】
【考案が解決しようとする課題】
【０００３】
これら（1）（2）の方法では、硬化したコンクリートに形成された埋設用縦穴または、硬化したコンクリートから突出したアンカーの位置があらかじめ固定されているため、自然石の大小によって自然石の間隔が疎になったり密になったりする問題があった。また自然石の間隔を疎・密安定した製品を提供するには、自然石の大きさを、埋設用縦穴または、アンカーの間隔に合わせて厳選する必要があった。本考案は、この欠点を解決しようとするものである。
【課題を解決するための手段】
【０００４】
本考案は、アンカー付自然石のアンカー筋に挿着・脱着できる切り欠きを有し、まだ固まらないコンクリートに働く浮力によって浮く浮力リンク材を用いて、自然石をコンクリートブロック上面から浮き石状態に形成するものである。
【０００５】
浮力リンク材の大きさを、自然石の直径または直径以上とすることで自然石間隔を疎・密自由に調整し、加えて、浮力リンク材の厚さを  ０＜ｔ≦自然石の直径程度  とすることで、自然石とコンクリート上面の浮き石距離を自由に調整する。
【考案の効果】
【０００６】
浮力リンク材の上からアンカー付自然石を、まだ固まらないコンクリートに埋設する際、浮力リンク材の大きさを、自然石の直径または直径以上とすることで自然石間隔を疎・密自由に調整し、加えて、浮力リンク材の厚さ  ０＜ｔ≦自然石の直径程度  とし、自然石とコンクリート上面の浮き石距離を自由に調整することによって、護岸においては覆土空間・植生空間・魚巣空間を、河道では越流部と非越流部を有した魚道空間、落差空間を創出する効果がある。
【考案を実施するための最良の形態】
【０００７】
図1に示すように、アンカー筋1に挿着できる切り欠き部2を有した浮力リンク材3
を、あらかじめまだ固まらないコンクリート4の浮力を利用して並べたのち、アンカー付自然石5をまだ固まらないコンクリート4に埋設する。次に、図2の状態でコンクリートを養生した後、図3に示すように浮力リンク材3を脱着することによって自然石を浮き石状態にする。本考案は以上のような構造で、これを使用する実施例は、図4浮き石覆土・魚巣護岸、図5浮き石魚道工、図6浮き石落差工・帯工、以上の形態がある。
【０００８】
浮力リンク材3は、図1においては、円形に挿着・脱着自在の切り欠きを有しているが、その形状は、挿着・脱着自在の切り欠きを有している多角形でもよい。
【０００９】
浮力リンク材3の材質は、発泡ウレタン、発泡スチロール、プラスチック、木材など、コンクリートの単位体積質量23kN/m3より小さいものとする。
【図面の簡単な説明】
【００１０】
【図１】コンクリート打設直後の斜視図
【図２】コンクリート養生中の斜視図
【図３】コンクリート硬化後の斜視図
【図４】実施断面図1-浮き石覆土・植生・魚巣護岸工
【図５】実施断面図2-浮き石魚道工
【図６】実施断面図3-浮き石落差工・帯工
【符号の説明】
【００１１】
１.アンカー筋
２.切り欠き部
３.浮力リンク材
４.まだ固まらないコンクリート
５.アンカー付自然石
６.型枠
７.養生中のコンクリート
８.硬化後のコンクリート
９.覆土空間
１０.植生空間
１１.魚巣空間
１２.浮き石魚巣ブロック
１３.浮き石覆土・植生ブロック
１４.魚道空間
１５.浮き石魚道ブロック
１６.浮き石落差工・帯工ブロック
【図１】
0003123761.tif 000003
【図２】
0003123761.tif 000004
【図３】
0003123761.tif 000005
【図４】
0003123761.tif 000006
【図５】
0003123761.tif 000007
【図６】
0003123761.tif 000008
(57)【要約】      （修正有）【課題】食材を切るための基準が表示されたまな板を、より視覚的に好ましいものとする。【解決手段】まな板の表面に１以上の食材の画像が、横幅がそれぞれ定められる長さとなるように表示されるとともに、各食材の画像の内側もしくは近傍に、各食材の画像の幅を示す数字が表示されるようにする。これにより、食材を切断する際に、食材の画像の横幅を長さの基準にすることができるとともに、長さの基準として表示されるのが食材の画像であるので、料理をする使用者に違和感をあまり与えることがない。【選択図】図１
0003123747.tif 000002
【実用新案登録請求の範囲】
【請求項１】
表面に１以上の食材の画像が、横幅がそれぞれ定められる長さとなるように表示されるとともに、各食材の画像の内側もしくは近傍に、各食材の画像の幅を示す数字が示されるまな板。
【請求項２】
前記食材の画像の上方、下方、又は内側に、この食材の画像の横幅と同じ長さの線分が描かれる請求項１に記載のまな板。
【請求項３】
前記食材の画像が横幅の順に従って配列されて表示される請求項１又は２に記載のまな板。
【考案の詳細な説明】
【技術分野】
【０００１】
本考案はまな板に関し、特に、食材の長さを測る基準が描かれたまな板に関する。
【背景技術】
【０００２】
まな板を用いて食材を切る場合、長さを正確に揃えたいようなときに長さを測る基準があると便利である。このような要請に対応するものとして、たとえば、下記特許文献１から３に示すように、まな板に、スケールを表示するものが多数提案されている。
【特許文献１】登録実用新案第３０８７６４３号公報
【特許文献２】実開平６−８１４３４号公報
【特許文献３】実開平６−２４６５９号
【考案の開示】
【考案が解決しようとする課題】
【０００３】
しかしながら、まな板にスケールを描いたものはデザイン的に無味乾燥であり、文房具や大工道具を連想させるために、食材を切る道具としてのまな板の構成として好ましくない。
そこで、本考案は、食材を切るための基準が表示されたまな板を、より視覚的に好ましいものとすることを課題とする。
【課題を解決するための手段】
【０００４】
上記課題を解決するために、本考案は次のような構成を有する。
請求項１に記載の考案は、表面に１以上の食材の画像が、横幅がそれぞれ定められる長さとなるように表示されるとともに、各食材の画像の内側もしくは近傍に、各食材の画像の幅を示す数字が示されるまな板である。なお、横幅とは、想定される使用状態でまな板を置いた際の左右方向の幅をいい、通常の長方形状のまな板においては、まな板の長手方向に沿った長さをいう。
請求項２に記載の考案は、前記まな板において、前記食材の画像の上方、下方、又は内側に、この食材の画像の横幅と同じ長さの線分が描かれるものである。なお、上方、下方は前記横幅の方向を左右方向とした場合の上方及び下方を意味する。
請求項３に記載の考案は、前記まな板において、前記食材の画像が横幅の順に従って、配列されて表示されるものである。  
【考案の効果】
【０００５】
請求項１に記載の考案は、まな板に表示される食材の画像に対応して、当該画像の横幅を示す数値が表示されるので、食材を切断する際に、この食材の画像の横幅を長さの基準にすることができるとともに、長さの基準として表示されるのが食材の画像であるので、料理をする使用者に違和感をあまり与えることがない。
請求項２に記載の考案は、食材の画像の上方、下方又は内側に食材の画像の横幅と同じ長さの線分が描かれるので、食材の画像に合わせて食材を切断するときに、この線分を補助として使用することで、より正確に食材の長さを合わせることができる。
請求項３に記載の考案は、食材の画像が横幅の順に配列して表示されているので、使用者は、目的とする長さを容易に見つけ出すことができる。
【考案を実施するための最良の形態】
【０００６】
以下、本考案の実施形態について、図を参照しながら説明する。
図１に本実施形態に係るまな板Ｘの正面図を示す。本まな板Ｘは、長方形状の本体１０と、本体１０の表面に表示される画像とから構成される。
本体１０は、合成樹脂製のやや厚みのある板状体であり、四隅にアールが形成されている。
画像は、本体１０の表面に焼き付け印刷により定着されるものであり、さらに、表面に薄い透明の熱可塑性シートを熱圧着により貼り付けることによりはがれないように加工されている。
画像には、食材表示画像１１、数値表示画像１２、線分表示画像１３から構成される。食材表示画像１１は、食材の絵もしくは写真を印刷したものであり、ここでは、食材の画像として、トマト、なすび、きゅうり、にんじんの画像が表示されている。これらの食材の画像の横幅、即ち、本体１０の長手方向の幅（横幅）は、それぞれ２ｃｍ、４ｃｍ、６ｃｍ、８ｃｍに設定されている。そして、ここでは横幅の短い食材表示画像１１を左から順に右斜め上方に向って配列するようにしている。数値表示画像１２は、ここでは各食材表示画像１１の下方に表示されており、各食材表示画像１１の実際の長さを表す数値と単位を表している。また、線分表示画像１３は、ここでは、食材表示画像１１と数値表示画像１２の間に表示されるものであって、対応する食材表示画像１１の横幅と同じ横幅を有する線分の画像により構成される。また、線分表示画像１３を構成する線分は、両端にメモリとなる縦方向の短い線分が接するように描かれている。
【０００７】
次に、このような構成を有するまな板Ｘの使用方法について説明する。まず、使用者は、まな板Ｘを切りやすい位置に設置して、切ろうとする食材をまな板Ｘの上に乗せる。次に、切ろうとする長さを表す数値表示画像１２を探し、この数値表示画像１２の描かれた食材表示画像１１の一端に切ろうとする食材の一端をあわせる。そして、この状態で、食材を食材表示画像１１の他端の位置で切断することで、食材を所望の長さに切断することができる。さらに同じ長さに切断する場合は、食材の切断面を食材表示画像１１の一端に移動させて同様の操作を行えばよい。
このように、本実施形態に係るまな板Ｘは、食材を所望の長さに切断することができるとともに、長さの基準が食材の画像として表されるので、違和感なく使用者の視覚を楽しませることができる。
【０００８】
なお、上記の実施形態で示される食材の種類や数、食材の横幅の大きさは適宜変更してよいことはいうまでもない。また、図２に示すように、数値表示画像１２を食材表示画像１１の内部に描いたり、線分表示画像１３を省いたりすることもできる。
【図面の簡単な説明】
【０００９】
【図１】実施形態に係るまな板示す正面図である。
【図２】実施形態に係るまな板の変形例を示す正面図である。
【符号の説明】
【００１０】
Ｘ      まな板
１０    本体
１１    食材表示画像
１２    数値表示画像
１３    線分表示画像
【図１】
0003123747.tif 000003
【図２】
0003123747.tif 000004
(57)【要約】【課題】部屋の狭いスペースに設置でき、尚且つ見栄えのある後飾り祭壇を提供する。【解決手段】２段の後飾り祭壇の最上段の後部に背面板を設け、故人の写真を直接背面板に立て掛け、従来の祭壇で使用していた写真立てを不要にすることにより、お供えを置くスペースを広くした。又、背面板により見栄えは３段の祭壇とほぼ同じになる様にした。【選択図】図４
0003123746.tif 000002
【実用新案登録請求の範囲】
【請求項１】
後飾り祭壇の最上段の後部に写真を立て掛けるための背面板を設け、写真立てを使用しないで故人の写真を飾ることができる構造から成る段ボール製の背面板付き後飾り祭壇。
【請求項２】
後飾り祭壇の最上段の天板に切り込みによる写真のずれ防止板を設けた請求項１記載の背面板付き後飾り祭壇。
【考案の詳細な説明】
【技術分野】
【０００１】
本考案は後飾り祭壇の最上段の後部に背面板を設け、壁となる背面板に直接故人の写真を立て掛けることのできる背面板付き後飾り祭壇に関する。
【背景技術】
【０００２】
従来からある後飾り祭壇の最上段はフラットであって、故人の写真を飾る際には別パーツの写真立てを使用（例えば特許文献１参照）するもの、又は祭壇の後部にボードを取り付けてボードに故人の写真を吊り下げるもの（例えば特許文献２参照）があった。
【特許文献１】実用新案登録第３０２２６９５号公報
【特許文献２】実用新案登録第３０２４５６２号公報
【考案の開示】
【考案が解決しようとする課題】
【０００３】
前記公知例に示す後飾り祭壇においては、故人の写真を飾るために写真立てを必要とするもの、又故人の写真を吊り下げて使用するために２つ折になったボードをコの字形の固定具を嵌着して１枚状に形成したものをファスナーシートによって本体と接着し、掛止具を取り付けて使用するものがあるが、いずれも複数の具材を使用するため部品の点数が増え、コストが高くなるという欠点があった。
【０００４】
本考案は、前記事情に鑑み故人の写真を直接飾れて、部屋の狭いスペースでも設置が可能で、尚且つ見た目は３段式の祭壇と比較しても見劣りしない祭壇を提供する。
【課題を解決するための手段】
【０００５】
本考案の後飾り祭壇は上記の課題を解決するために、階段状の最上段（１４）後部に背面板（１５）（１６）を設け、写真（２１）を直接立て掛けられるようにした。
【０００６】
さらに、階段状の最上段（１４）に切り込みによる写真のずれ防止板（１９）をつける事により写真（２１）が手前にずれてくるのを防ぐことができる構造としたことが特徴である。
【考案の効果】
【０００７】
後飾り祭壇の階段状の最上段（１４）の後部に背面板（１５）（１６）を設けることにより、従来の祭壇では必要としていた写真立てを使用しなくても写真を飾ることができる。
【０００８】
写真立てが不要になるため、お供えを置くスペースを広く取ることができる。
【０００９】
背面板を取り付けることによりお供えを置く段は２段だが見た目は３段のように見え、従来の２段の祭壇と比較して豪華さがある。
【００１０】
お供えを置くスペースが広くなったので、従来、３段を使用していた処が２段で飾れるようになり、祭壇を設置するスペースも狭くてすみ部屋を広く使う事ができる。
【考案を実施するための最良の形態】
【００１１】
本考案の後飾り祭壇は、ある程度の期間使用し不要となっても段ボール製のため簡単に分解する事ができるし、処分にも困らない特徴がある。
【実施例】
【００１２】
以下本考案の詳細を実施例で説明する。本考案はこの実施例によって何ら限定されるものではない。図１及び図２で示すように補強板（３）を取り付けた台（１）に設けた切り込み溝（６）（７）（８）に、図２階段となる天板（１２）（１４）、背面板（１５）（１６）を連結し一体となった部材を折り曲げ、一体となった部材に設けた切り込み溝を台（１）に設けた切り込み溝（６）（７）（８）に入れ込み一体となる部材と台が固定できるようになっている。
【００１３】
台（１）に取り付けた補強板（３）を設けることによりある程度の重量があるものを供えても耐えることができる。
【００１４】
台（１）に設けた凸部分（５）を背面板の穴（２０）に差し込むことで背面板に写真を立て掛けても、背面板が後部に倒れるのを防止できる。
【００１５】
本考案の実施例は狭いスペースでも設置でき、尚且つ見栄えを良くするために２段にしてあるが、２段に限定されるわけではない、段数は必要に応じて変更することが可能である。
【図面の簡単な説明】
【００１６】
【図１】本考案の後飾り祭壇の台となる部分を示す斜視図である。
【図２】本考案の後飾り祭壇の天板及び背面板を示す斜視図である。
【図３】本考案の後飾り祭壇の側面図である。
【図４】本考案の後飾り祭壇の概観を示す斜視図である。
【図５】本考案の後飾り祭壇の後部概観を示す斜視図である。
【符号の説明】
【００１７】
１  台
２  補強材を固定する穴
３  補強板
４  台と背面板の結合片
５  台と背面板の固定片
１５、１６  背面板
１９  写真のずれ防止板
【図１】
0003123746.tif 000003
【図２】
0003123746.tif 000004
【図３】
0003123746.tif 000005
【図４】
0003123746.tif 000006
【図５】
0003123746.tif 000007
(57)【要約】   【課題】  破損時に安全な六角棒スパナを提供する。  【解決手段】六角棒スパナ（２）に樹脂及び／又はゴム等の被覆チューブ（３）を六角棒スパナ（２）の両先端部（２a，２b）を残して被覆する。手で締めたり緩めたりした時に六角棒スパナ（１）が途中で折れても被覆チューブ（３）で被覆しているので、破片は飛ばない。しかも破断部も被覆チューブ（３）で覆われているため、手などをキズ付けず安全である。  【選択図】  図１
0003123704.tif 000002
【実用新案登録請求の範囲】
【請求項１】
六角棒スパナにおいて、上記六角棒スパナの両先端を除く中間部を樹脂及び／又はゴム等で全周被覆したことを特徴とする六角棒スパナ。
【請求項２】
前記の被覆材は内層接着剤付熱収縮チューブであることを特徴とする請求項１に記載の六角棒スパナ。
【考案の詳細な説明】
【技術分野】
【０００１】
本考案はボルトを締めたり緩めたりする六角棒スパナに関するものである。
【背景技術】
【０００２】
作業者が手で六角棒スパナを使いボルトを締めたり緩めたりした時に過剰な力が六角棒スパナに掛かった場合、六角棒スパナが破損することがある。破損した時のショックで破片スパナが飛散したり、破断部で作業者の身体にケガを負わせたりする可能性があった。
【考案の開示】
【考案が解決しようとする課題】
【０００３】
六角棒スパナが破損した時に破片が飛散したり、破断部で作業者の身体にケガを負わせたりする危険を回避する手段を提供しようとするものである。
【課題を解決するための手段】
【０００４】
請求項１に係わる考案によれば、六角棒スパナにおいて、上記六角棒スパナの先端２カ所を除く中間部を樹脂及び／又はゴム等で全周被覆したことを特徴とする六角棒スパナにより問題点を解決している。
【０００５】
請求項２に係わる考案によれば、被覆材が内層接着剤付熱収縮チューブで全周被覆したことを特徴とする請求項１に記載の六角棒スパナにより問題点を解決している。
【考案の効果】
【０００６】
請求項１に係わる考案によれば、六角棒スパナが破損しても、樹脂及び／又はゴム等で全周被覆しているので、破片が飛散したり、破断部で作業者の身体にケガを負わせたりすることは回避されるため安全である。更に、樹脂及び／又はゴム等で全周被覆しているため、握り易く作業性も向上する。
【０００７】
請求項２に係わる考案によれば、被覆材が内層接着剤付熱収縮チューブであるために、六角棒スパナが破損しても、チューブから破損スパナが容易に脱落したりしない。これにより、より安全にボルトの締め付けを行うことができる。
【考案を実施するための最良の形態】
【０００８】
六角棒スパナ（２）に樹脂及び／又はゴム等の被覆チューブ（３）を六角棒スパナの両先端部（２a 、２b）を残して被覆する。被覆チューブ（３）は六角棒スパナ（２）の外径より僅かに小さい内径であるので、被覆した時はスキマが無く密着した状態となる。
【０００９】
内層接着剤付熱収縮の被覆チューブ（３）を被覆するには、六角棒スパナ（２）の外径よりやや大きいな被覆チューブ（３）を六角棒スパナ（２）の両先端部を残して被覆する。その後ドライヤー等で加熱すると被覆チューブ（３）は熱により収縮して密着する。しかも接着剤付きなので密着性が更に増す。被覆チューブ（３）を多重にすれば更に丈夫になる。
【００１０】
本考案品の使用法は、六角棒スパナ本体（１）の先端（２b）をボルトの六角穴に挿入して、長い方の柄（１a）を手で締めたり緩めたりした時に過剰な力が六角棒スパナ本体（１）に掛かった場合に六角棒スパナ（２）が破損してしまうことがある。ほとんどの場合直角に曲がった付近で破損する。破損しても伸び縮みできる被覆チューブ（３）で被覆しているので、破損した短い方の柄（１b）は破損のショックで飛ぶことがない。しかも破断部も被覆チューブ（３）で覆われた状態を保っている。
【図面の簡単な説明】
【００１１】
【図１】本考案の六角棒スパナである。
【図２】図１中のＸ、Ｙ方向矢視図である。
【符号の説明】
【００１２】
１  六角棒スパナ本体
２  六角棒スパナ
３  被覆チューブ
２a、２b  六角棒スパナの先端部
【図１】
0003123704.tif 000003
【図２】
0003123704.tif 000004
(57)【要約】【課題】本考案は、使用ごとに墨汁などの液体を自動的に補給できる装置を提供しようとするものである。【解決手段】給液台本体は、密閉された貯留部と、上面が開放された補給部と、両者を底部において連通する給水路とよりなり、補給部の前側内壁面は斜面となる筆侵入部とした自動給液装置である。【選択図】  図１
0003123788.tif 000002
【実用新案登録請求の範囲】
【請求項１】
給液台本体は、密閉された貯留部と、上面が開放された補給部と、両者を底部において連通する給水路とよりなり、補給部の前側内壁面は斜面となる筆侵入部とした自動給液装置。
【考案の詳細な説明】
【技術分野】
【０００１】
本考案は墨汁などの液体を筆に自動的に供給する装置に関する。
【背景技術】
【０００２】
毛筆を使用して文字等を書く場合は、硯や墨汁を使用するが、殊に墨汁を使用する場合は墨汁の容器に直接筆を挿入して筆に墨汁を浸したり、適量を皿などに出しながら使用している。容器に直接筆を挿入するときは筆先への墨汁の浸し度が分からず、結局他の皿などを用意して筆先を整える作業をしなければならず、又皿などに出しながら使用する場合は余計に出した部分は捨てるなどの無駄が多く経済的でなく、洗うことによる下水の汚れは環境汚染の原因としても無視できないものとなっている。
【考案の開示】
【考案が解決しようとする課題】
【０００３】
そこで本考案は、使用ごとに墨汁などの液体を自動的に補給できる装置を提供しようとするものである。
【課題を解決するための手段】
【０００４】
給液台本体は、密閉された貯留部と、上面が開放された補給部と、両者を底部において連通する給水路とよりなり、補給部の前側内壁面は斜面となる筆侵入部としたものである。
【考案の効果】
【０００５】
本考案の効果として、筆の使用ごとに適量の墨汁などの液体を自動的に筆先に補給でき、無駄がなく、余計な墨汁等の洗うことによる下水の汚れを少なくすることができる。
【実施例】
【０００６】
本案を図示の実施例により詳記すると、給液台本体１は、密閉された貯留部２と、上面が開放された補給部３と、両者２，３を底部において連通する給水路４とよりなり、補給部３の前側内壁面５は斜面となる筆侵入部６としたものである。
【０００７】
給液台本体１の貯留部２は各地における名所、旧跡や、動物、産物などをかたどったものとしておくと良い。
【０００８】
給液台本体の後壁面７上部には使用する筆をたてておく筆立て８やスポイト立て９などを設けておくと良く、又補給部３には図示しない蓋を設けて乾燥を防ぐようにしても良く、更に前側内壁面５には図示しない凹凸面を作っておいて筆先を整えやすくしておいても良い。
【０００９】
これを使用するには先ず、図示しないスポイト等により補給部３から貯留部２に墨汁などの液体を補充し、給液台本体１を立てることにより貯留部２から墨汁等が補給部３に流れ出し、筆侵入部６、補給部３内に図示しない筆を侵入させて墨汁等を適当量滲み込ませる。この滲み込み量に応じて貯留部２内の墨汁等が補給部３に浸出してくる。給水路４が塞がれることにより墨汁等の流れ出しが停止し補給部３から溢れ出ることがない。筆先は前側内壁面５で整えるようにする。使用後は補給部３に図示しない蓋をしておくようにすると良い。
【図面の簡単な説明】
【００１０】
【図１】本考案に係る自動給液装置の縦断面説明図。
【図２】図１のA-A線断面説明図
【符号の説明】
【００１１】
１：給液台本体
２：貯留部
３：補給部
４：給水路
５：前側内壁面
６：筆侵入部
７：後壁面
８：筆立て
９：スポイト立て
【図１】
0003123788.tif 000003
【図２】
0003123788.tif 000004
(57)【要約】【課題】携帯型伸縮箸の提供。【解決手段】本考案の携帯型伸縮箸 は、スリーブと箸柱を組み合わせてなり、スリーブ内部に貫通軸孔を設置して、箸柱が内側で往復シフトする。その特徴は、箸柱の上段の係合部に、凹入する槽孔を設置し、ボタンを容置する。スリーブの適当な箇所に、一つ以上の抵孔を有し、箸柱上のボタンが伸縮移動時に、弾性により定位し、箸柱は伸長使用、短縮収蔵ができ、且つ、定位しやすい効果を達する。【選択図】    図１
0003123714.tif 000002
【実用新案登録請求の範囲】
【請求項１】
携帯式伸縮箸構造であって、前記伸縮箸は、主に、スリーブと箸柱を組み合わせてなり、前記スリーブ内部に貫通軸孔を設置して、前記箸柱が内側で往復シフトし、その特徴は、前記箸柱の上段の係合部に、凹入する槽孔を設置し、ボタンを容置し、前記スリーブの適当な箇所に、一つ以上の抵孔を有し、前記箸柱上のボタンが伸縮移動時に、弾性により定位し、前記箸柱は伸長使用、短縮収蔵ができ、且つ、定位しやすい効果を達することを特徴とする伸縮箸構造。
【請求項２】
前記箸柱の係合部形態は、前記スリーブの軸孔と対応挿入し、対称滑移することを特徴とする請求項１に記載の伸縮箸構造。
【請求項３】
前記スリーブ内部の軸孔の箸柱頂端と封口ブロック間に圧縮ばねを設置し、前記箸柱が弾性シフト功能を有することを特徴とする請求項１に記載の伸縮箸構造。
【考案の詳細な説明】
【技術分野】
【０００１】
本考案は携帯型伸縮箸構造に関し、詳細には、伸縮機能を有し、携帯に便利な伸縮箸構造に関する。
【背景技術】
【０００２】
箸は、日常生活において欠かすことの出来ない生活必需品であり、特に、東洋人は箸を使用して食事する習慣である。一般の家庭中では、碗や皿等とともに、使用後は洗浄して再使用する。外食では、レストランは洗浄した箸を提供し、環境保全に留意しているところもあるが、使用者にとっては、清潔さへの懸念がある。また、それを考慮して、使い捨て箸を提供するレストランもあるが、これは、使用後に遺棄してゴミとなり、環境汚染となるばかりか、木材を伐採して、自然環境の破壊にもなる。
【０００３】
ある人は、家から箸を携帯して使用し、上述の問題に対処しているが、箸の長さは２０〜３０センチあり、携帯に便利であるとはいえない。
【考案の開示】
【考案が解決しようとする課題】
【０００４】
本考案の目的は、携帯式の伸縮箸を提供することにある。
【課題を解決するための手段】
【０００５】
本考案の携帯型伸縮箸 は、スリーブと箸柱を組み合わせてなり、スリーブ内部に貫通軸孔を設置して、箸柱が内側で往復シフトする。その特徴は、箸柱の上段の係合部に、凹入する槽孔を設置し、ボタンを容置する。スリーブの適当な箇所に、一つ以上の抵孔を有し、箸柱上のボタンが伸縮移動時に、弾性により定位し、箸柱は伸長使用、短縮収蔵ができ、且つ、定位しやすい効果を達する。
【０００６】
本考案の伸縮箸は、スリーブ底端部が、軸孔径より小さい収束口を設置し、箸柱がスリーブから滑り出すのを効果的に防止する。
【０００７】
本考案の伸縮箸は、箸柱の係合部形態が、スリーブの軸孔と対応挿入し、対称滑移する。
【０００８】
本考案の伸縮箸は、スリーブ上に複数の抵孔を設置し、箸柱が、長さが多段式で調節できるように定位される。
【考案の効果】
【０００９】
本考案により、携帯に便利な収縮可能な箸が提供される。
【考案を実施するための最良の形態】
【００１０】
本考案の伸縮箸１の構造は、スリーブ１１と箸柱１２を組み合わせてなり、スリーブ１１内部に貫通軸孔１１１を設置して、箸柱１２の係合部１２３が内側で往復シフトする。その特徴は、箸柱１２の上段の係合部１２３に、凹入する槽孔１２１を設置し、弾性素子１３１上のボタン１３を容置する。スリーブ１１の適当な箇所に、一つ以上の抵孔１１３を有し、箸柱１２上のボタン１３が伸縮移動時に、弾性により定位し、箸柱１２は伸長使用、短縮収蔵ができ、且つ、定位しやすい効果を達する。
【００１１】
次に、箸柱１２の一端は、錘状の挟部１２２を有し、箸柱のもう一端は、係合素子１２３である。スリーブ１１の頂段は、封口ブロック１４により蓋合収束する。また、スリーブ１１の底端部は、軸孔径より小さい収束口１１２を設置し、箸柱１２がスリーブ１１から滑り出すのを効果的に防止し、スリーブ１１の外側表層は、錘状の管体である。
【００１２】
本考案の携帯型伸縮箸構造は、操作使用時、ボタン１３を押して内縮させ、同時に、箸柱１２を引っ張って、適当な抵孔１１３にシフトさせ、ボタン１３が抵孔１１３で定位し、箸柱１２は簡単に伸縮移動、及び、快速定位する。
【００１３】
また、本考案の箸柱１２の係合部１２３の形態は、スリーブ１１の軸孔１１１と対応挿入し、対称滑移するものである。本考案は、スリーブ１１内部の軸孔１１１中の箸柱１２頂端と封口ブロック１４間に圧縮ばねを設置し、箸柱１２が弾性シフト功能を有するものである。更に、封口ブロック１４頂端は耳を有し、アクセサリを掛吊することができる。
【００１４】
また、本考案のボタン１３の外径は、抵孔１１３より大きく、故に、表面は、抵孔１１３外層から適当に突出し、軸孔１１１内側から軸孔外に弾出しない前提下で、ボタン１３は、鋼球により代替することができる。
【図面の簡単な説明】
【００１５】
【図１】本考案の構造の立体分解図である。
【図２】本考案の立体組み合わせ図（箸柱回縮状態）である。
【図３】本考案の組み合わせ断面図である（箸柱収縮状態）。
【図３Ａ】ボタン外縁局部が抵孔を突出している状態を示す図である。
【図３Ｂ】ボタン外縁がスリーブ軸孔内壁を弾抵する状態を示す図である。
【図４】本考案の箸柱を引き出した使用状態を示す図である。
【図５】本考案の立体外観図である。
【符号の説明】
【００１６】
１        伸縮箸
１１      スリーブ
１１１    軸孔
１１２    収束口
１１３    抵孔
１２      箸柱
１２１    槽孔
１２２    挟部
１２３    係合部
１３      ボタン
１３１    弾性素子
１４      封口ブロック
【図１】
0003123714.tif 000003
【図２】
0003123714.tif 000004
【図３】
0003123714.tif 000005
【図３Ａ】
0003123714.tif 000006
【図３Ｂ】
0003123714.tif 000007
【図４】
0003123714.tif 000008
【図５】
0003123714.tif 000009
(57)【要約】      （修正有）【課題】自転車を使用した家庭菜園等への水の運搬、給水作業の負荷を軽減する。【解決手段】ポリタンク底面の形状を逆凹状として、自転車荷台取り付け時の脱落の危険性低減及び重心の低下、左右分散による安定性の向上を計った。タンク底部に水栓を設けることにより、容器を荷台に取り付けた状態のままで給水・運搬・排水の一連の作業を可能にした。【選択図】図２
0003123438.tif 000002
【実用新案登録請求の範囲】
【請求項１】
ポリタンク底部に逆凹状の凹みを設けることにより、自転車荷台に安定よく取り付く形状とした。
またタンク底部に水栓を設ける事により、注水・運搬・排水の一連の作業を重いタンクを積み下ろす事無く、荷台に取り付けたままの状態で容易に行えるようにした。
家庭菜園等での、水の運搬、給水作業を軽減するポリタンク。
【考案の詳細な説明】
【考案の開示】
【考案が解決しようとする課題】
【０００１】近年、趣味と実益を兼ね、家庭菜園を楽しむ人が増えているが一般に家庭菜園では水道施設の無い場合が多く、水やりをしようとすると、水を入れたペットボトルを何本も自転車のカゴに積み込み、家と畑を往復する事となったり、ポリタンクを使おうと思えば、注・排水の度に重いタンクの積み下ろしをしなければならなかった。
【課題を解決するための手段】
【０００２】上記の課題を解決するため、ポリタンク底面に逆凹状の凹みを持たせ、その凹部が荷台を両側より挟み込む形状とした。これにゴムバンド等での固定を併用することによりタンク脱落の危険性を低減した。
また、タンク底部両端が荷台面より下方に位置することから、重心の下方移動、左右分散になり、荷台上に積んだ場合に比べ安定性を増すことが出来る。
尚且タンク下部に水栓を設ける事により、タンクを荷台に取り付けたままの状態で注水はもとよりジョウロ等、他の容器への給水を可能にした。
【考案の効果】
【０００３】当考案のポリタンクにより、容易に多量の水の運搬が可能となり、重いタンクの積み下ろしも必要無くなることから、家庭菜園等での作業の軽減に貢献できる。
【図面の簡単な説明】
【０００４】
【図１】ポリタンク斜視図である。
【図２】自転車荷台に取り付けた図である。
【図１】
0003123438.tif 000003
【図２】
0003123438.tif 000004
【手続補正書】
【提出日】平成17年11月19日(2005.11.19)
【手続補正１】
【補正対象書類名】実用新案登録請求の範囲
【補正対象項目名】全文
【補正方法】変更
【補正の内容】
【実用新案登録請求の範囲】
【請求項１】
・タンク底部を水栓付凹型状とした自転車荷台取り付け用ポリタンク
(57)【要約】      （修正有）【課題】足裏マッサージが全ての場所で手軽に出来る事により様々な血栓症に纏わる習慣病の健康予防と健康維持に役立てようとする。【解決手段】プラスチック製で超軽量にし、持ち運びを可能して、尚且、足を動かすと球体が３６０度ローリング機動を足裏に対して作用することによって痛みが無い状態のマッサージを実現する。そして足裏には無数の血栓が集中して存在し、是を長時の座り仕事中、スポーツ時その他色々な場面で刺激を与え健康維持に役立つものである。【選択図】図１
0003123435.tif 000002
【実用新案登録請求の範囲】
【請求項１】
マッサージ器上パネル（１，１Ａ，１Ｂ）と下パネル（２，２Ａ，２Ｂ）の間にマッサージ機能を設ける為の大，小の球体（３，３Ａ，３Ｂ，４，４Ａ，４Ｂ）を理め込んだ３６０度ローリング動作を特徴とする電気機能を持たない持運びタイプの足裏マッサージ器。
【請求項２】
球体（３，３Ａ，３Ｂ，４，４Ａ，４Ｂ）をマッサージ器上・下パネル（１，２）のセット部（１Ａ，１Ｂ，２Ａ，２Ｂ）に設け、転がり機能を特徴とする請求項１記載の足裏マッサージ器。
【請求項３】
大・小の球体（３，３Ａ，３Ｂ，４，４Ａ，４Ｂ）をクッション（７，７Ａ，７Ｂ）で受けてスムーズな３６０度回転を実現した請求項１記載の足裏マッサージ器。
【請求項４】
デザインを強調するためマッサージ器上・下パネル（１，１Ａ，１Ｂ，２，２Ａ，２Ｂ）と球体（３，３Ａ，３Ｂ，４，４Ａ，４Ｂ）にプラスチックカラーを施した扇形をしたスタイリッシュな請求項１記載の足裏マッサージ器。
【考案の詳細な説明】
【技術分野】
【０００１】本考案はマッサージ器上・下パネルの間に構成されたセット部内で、３６０度自在に回転する球体を設けた足裏マッサージ器である。
【背景技術】
【０００２】血栓に関係する病気が近年、長時間のパソコン作業などで多くなってきている。是には足裏マッサージなどが効果があるが。足裏マッサージ器には突起、バイブレーター、電動マッサージ等があるがどれも自宅に置いて主に使用しており且、重量感があり手軽さに欠けている為、生活の中の様々な場面では十分に活躍していない現状がある。
【考案の開示】
【考案が解決しようとす課題】
【０００３】自宅だけのマッサージ器では一日で短時間しかマッサージしておらず足裏の効果がほとんど無いに等しい。長時のパソコン仕事中やスポーツ後等、即マッサージを施し足裏の血栓を刺激し、多くの症状等の疲労改善及び、予防に役立てる。
【課題を解決しようとする手段】
【０００４】本考案は、３Ｄ形状でスタイリッシュ、全プラスチック製のため超軽量で安価、色もカラフルで何処でも持ち運び出来るようにし、且、非電気機能でコードが無いためパソコンオフィスでも使用し易くしてデスクワークなどで長時間本器を使用をすることを目的とし、且、多くの人が『痛くないマッサージ』を実現するため球体による３６０度回転で血栓に関係する様々な習慣病を改善していく。
【考案の効果】
【０００５】上述の様に、本考案の足裏マッサージ器を長時の立ち仕事後、長時の机仕事後などに使用すると疲労回復と成り、どんな場所でも足裏マッサージが手軽にできて様々な血栓に係る習慣病などに対して健康の予防維持に役立つ。
【考案を実施するための最良の形態】
【０００６】足裏を本体マッサージ面に乗せ、足を動かしたときに体重の重軽に係らず変形せず４５個全ての球体が３６０度回転する。又、底マットが床との間で滑り止めとなり動かない様にする。
【実施例】
【０００７】以下、添付図面に従って一実施例を説明する。１は耐久性のプラスチック材料で成形された足裏マッサージ器上パネル、２は３・４の全４５個の球体を支え受ける同じく耐久性プラスチック製足裏マッサージ器下パネル、３，３Ａ，３Ｂは３６個設定されている球体（小）、４，４Ａ，４Ｂは９個設定されている球体（大）、何れも本体を逆さまにしても外れない。【０００８】１Ａ，１Ｂは球体（３，３Ａ，３Ｂ，４，４Ａ，４Ｂ）を入れるセット部分である。２Ａ，２Ｂは球体（３，３Ａ，３Ｂ，４，４Ａ，４Ｂ）を支える受け部分である。【０００９】５Ａはマッサージ器下パネル（２，２Ａ，２Ｂ）との接着をするための粘着シート、５Ｂは本体の上下方向の動きに対してクッションの役割をする底シート（軟質発泡）、６は人の全体重を受け且、床に対して滑り止めとなる底シート（硬質発泡）であり、脱着可能と成っている。【００１０】７，７Ａ，７Ｂは、球体の静かでスムーズな動きを実現する為のＰＥＴ＋ＰＥシートであり、８は、上・下パネル（１，１Ａ，１Ｂ，２，２Ａ，２Ｂ）と球体（３，３Ａ，３Ｂ，４，４Ａ，４Ｂ）を取り付ける為のＭ４皿ネジである。
【図面の簡単な説明】
【図１】本考案の足裏マッサージ器の一実施例を示す傾斜図である。
【図２】本マッサージ器の上方向から見た正面図である。
【図３】下方向から見た底面図である。
【図４】図２の方向（ａ−ｂ）中央を示す実施例の断面図である。
【図５】大小の球体の構造及び、組立図である。
【図６】本マッサージ器の構成部品の全体構造及び組立図である。
【符号の説明】
【００１１】  マッサージ器上パネル        １，１Ａ，１Ｂ
マッサージ器下パネル        ２，２Ａ，２Ｂ
球体（小）                  ３，３Ａ，３Ｂ
球体（大）                  ４，４Ａ，４Ｂ
底シート（軟質発泡）        ５，５Ａ，５Ｂ
平行底シート（硬質発泡）    ６
クッション（ＰＥＴ＋ＰＥ）  ７，７Ａ，７Ｂ
組付け皿ネジ（Ｍ４×２５）  ８
方向                        ａ−ｂ
【図１】
0003123435.tif 000003
【図２】
0003123435.tif 000004
【図３】
0003123435.tif 000005
【図４】
0003123435.tif 000006
【図５】
0003123435.tif 000007
【図６】
0003123435.tif 000008
(57)【要約】      （修正有）【課題】ナットを回す作業の場合、スパナー、めがねスパナー等をナットに密着させるのに苦労する。【解決手段】スパナー、めがねスパナー等がナットより下に落ちない様、ボルトの径より少し大きめの歯止めをつける。作業の場合、この歯止めがナットの上に密着する。そうすることで、落として回す、落として回すという様に作業がリズム化でき、利便性大となる。【選択図】図１
0003123432.tif 000002
【実用新案登録請求の範囲】
【請求項１】
スパナー及びメガネスパナー類のナット回し工具に於いて、作業時、スパナー等がナットより下へおちない様、ボルトの径より大きめの歯止めをつける。〔図１〕〔図２〕の１
【考案の詳細な説明】
【考案の開示】
【考案が解決しようとする課題】
【０００１】機械類の組立及び解体する場合、ボルト、ナットを締めたり、緩めたりするとき、ナットにスパナー類を密着させながら回すのに苦労する。
【課題を解決するための手段】
【０００２】そこで、楽にスパナーや、メガネスパナーがナットに密着する様に、各サイズのボトルの径より少し大きめの歯止めを付ける。〔図１〕の１
【考案の効果】
【０００３】歯止めをつければスパナーはナットに落とし込むだけでよし、メガネスパナーはナットに落としてやれば歯止めがあるが故、ナットより下へ落ちないので、楽にしめ、ゆるめの作業ができる。特に手がやっとはいる様なところでの作業の場合、効果は抜群である。
【図面の簡単な説明】
【０００４】
0003123432.tif 000003
２はナットである。
３はボルトである。
４はスパナー、メガネスパナー類の回し工具である。
【図１】
0003123432.tif 000004
【図２】
0003123432.tif 000005
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
従来のスパナ−は一層構造〔図２〕で製作されているが，本考案は，従来品にはなかった特徴の二層構造〔図１〕とし，サイズ数が多いボルトやナットを各サイズ共通の大きさとするために歯止めとなる二層目のナットに乗る部分の寸法をナットの外径と内径（ネジの部分）の中間とすることで，ナットにスパナ−の口をかみ合わせた場合，ボルトに当たることなく，ナットに乗り，かつスパナ−がナットからずり落ちないので，作業がはかどるという仕組みの二層構造スパナ−カクメイである。
【手続補正２】
【補正対象書類名】明細書
【補正対象項目名】明細書の全文
【補正方法】変更
【補正の内容】
【考案の詳細な説明】
【考案の開示】
【考案が解決しようとする課題】  機械工業の有史以来，ボルト，ナット，これに係るスパナ−は，現在でも単純で同様の形状をしているので，例えば，モ−タ−内蔵の旋盤が故障した際にモ−タ−を外そうとしても，モ−タ−が内蔵されている入口は狭く，スパナ−を持った手を入れると中は見えなくなり，やっと手が入る場所でナットを緩めようとしても後は手さぐりでやらなければならないが，狭い所にボルトがセットされており，見えなくてもスパナ−を素早くナットに合わせる必要があるにもかかわらず，ナットにスパナ−の食いつきが悪いため作業がはかどらない。
【課題を解決するための手段】  スパナ−の上に指を当てながら落とし込むと，指先がナットの上に当り，スパナ−をナットに食いつかせることができることから，機械工業有史以来，今日まで変わらぬ形状だったスパナ−の口に，指の代わりにダボ（凸部）を付加する構造にし，従来からのスパナ−が一層構造だったものを，スパナ−の口部分だけ二層構造にすることにより，指先を使わずにスパナ−にやらせる方法としてスパナ−カクメイを考案した。
【考案の効果】  以上の考案により，狭い所にあるモ−タ等が簡単に外せるようになった。
【図面の簡単な説明】
【図１】  本考案の二層構造スパナ−の全体図である。
【図２】  従来品の一層構造スパナ−の全体図である。
0003123432.tif 000006
【手続補正３】
【補正対象書類名】図面
【補正対象項目名】全図
【補正方法】変更
【補正の内容】
【図１】
0003123432.tif 000007
【図２】
0003123432.tif 000008
【手続補正書】
【提出日】平成18年3月9日(2006.3.9)
【手続補正１】
【補正対象書類名】実用新案登録請求の範囲
【補正対象項目名】全文
【補正方法】変更
【補正の内容】
【実用新案登録請求の範囲】
【請求項１】
スパナ−のナットくわえ口に歯止め用ツバをつけるが、ナットにのり、ボルトには当たらなくするため、歯止めとなるツバの寸法を、スパナ−の各サイズともナットの外径と内径の中間とする二層形状のスパナ−カクメイである。
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】  機械工業の有史以来，ボルト，ナット，これに係るスパナ−は，現在でも単純で同様の形状をしているので、モ−タ−内蔵の旋盤が故障した際にモ−タ−を外そうとしたが，モ−タ−が内蔵されている入口は狭く，スパナ−を持った手を入れると中は見えなくなり，やっと手が入る場所でナットを緩めようとしても後は手さぐりでやらなければならないが、狭い所にボルトがセットされており，見えなくてもスパナ−を素早くナットに合わせる必要があるにもかかわらず，ナットにスパナ−の食いつきが悪いため作業がはかどらなかったり、長いボルトのナットを外そうとする場合とか、油やさびで、固くなっている場合、ナット回しで苦労する。
【課題を解決するための手段】
【０００２】  スパナ−の上に指を当てながら落とし込むと，指先がナットの上に当り，スパナ−をナットに食いつかせることができることから、機械工業有史以来，今日迄変わらぬ形状だったスパナ−の口に，指の代わりにダボ（凸部）を付加する形状にし，従来からのスパナ−が一層形状だったものを，スパナ−の口部分だけ二層形状にすることにより，指先を使わずにスパナ−にやらせる方法としてスパナ−カクメイを考案した。
【考案の効果】
【０００３】  以上の考案により，狭い所にあるモ−タ等が簡単に外せるようになったり、組立の場合は、ツバが有ることで能率が上がるし長いボルトについているナットを外す場合や、さび・油が固まって固い場合、スパナ−カクメイの歯止めをそのナットに乗せたまま、連続回しができるので、利便性に優れているスパナーカクメイである。【０００４】
【図面の簡単な説明】
【図１】本考案の二層形状スパナ?カクメイの全体図である。
【図２】従来品の一層形状スパナ?の全体図である。
【符号の説明】
【０００５】  イ．本考案の二層形状歯止め部  ロ．従来品の一層形状部
(57)【要約】      （修正有）【課題】自転車に健康器具を取り付け、スタンドを立て静止状態で使用する屋内、庭など庸の健康器具、自転車の提供。【解決手段】本考案は１の厚手の金属板の取り付け大金具と２の取り付け小金具で５の荷台の支えを、６の小ネジで挟み固定し、キャスター１０に結合した左右２本の軸８を３の孔に通して、座金７を用い９のチョウネジで閉め、キャスター１０によってリーム４を押し、自転車の回転に圧力をかける。【選択図】図１
0003123439.tif 000002
【実用新案登録請求の範囲】
【請求項１】
厚手の金属板の取り付け大金具と、取り付け小金具で荷台の支えを小ネジで挟み固定し、キャスターに結合した左右２本の軸を大金具の孔に通して、座金を用いチョウネジで閉め、キャスターによってリームを押し、自転車の回転に圧力をかける特徴を有する健康器具。
【請求項２】
左右２本の軸をキャスターにネジ止めして接続する健康器具。
【請求項３】
キャスターの部分が回転しない硬質の樹脂で代替する健康器具。
【考案の詳細な説明】
【技術分野】
【０００１】  本考案は、自宅で自転車を静止状態で運動できる、自転車ウォーキングに関するものである。
【背景技術】
【０００２】  一般の道路が平坦な道ならよし、急な上り坂では過労を強いられ、健康うえから逆効果をもたらす医学上のデータがある。
【考案の開始】
【考案が解決しょうとする課題】
【０００３】  野外の自転車ウォーキングは、風雨、雪、視界をさえぎる濃霧の発生。寒冷な向かい風など支障をなす課題も多い。また、車の増加で交通事故の発生も少なくない。。従ってこのような欠点を解決しようとするものである。
【問題を解決するための手段】
【０００４】  厚手の金属板の取り付け大金具と、取り付け小金具で荷台の支えを小ネジで挟み固定しキャスターに結合した左右２本の軸を大金具の孔に通して、座金を用いチョウネジで閉め、キャスターによってリームを押し、自転車の回転に個人の体力に応じた強弱の圧力をかける特徴を有する。
【考案の効果】
【０００５】  自転車は多くの家庭にあり、小さい器具で健康器具に早変わりする。自転車は外見上どんなに古くても動けばよい。また、キャスターの回転によって摩擦熱の発生を未然に防ぎ、火災の懸念を払拭することができる。
【０００６】  最近の新しい実験の結果、自転車のペタルを踏み込むことにより、腸腰筋の活性化を著しく促すことが報告されている。健康管理上もっとも好ましいといえる。ハンドルを握ることで体にかかる負担が軽減され、歩行するより健康上よい結果が得られるという。
【０００７】  自転車で急な上り坂などは負担がかかり過ぎて、健康のうえから逆効果を招くという。「中庸を以ってよしとすべし」の教訓にもあるように、度を過ぎた過激な運動は厳に慎むべきである。野外の道路には上り坂は、いたるところにあり避けて通れない。そこえいくと本考案は、チョネジの簡単な調整で、最も良好な回転圧力を自由に矯正することができる。
【０００８】  自転車を単にスタンドを立て空踏みしても、軽すぎて期待する運動効果は得られない。足踏みペタルに加重をかけて運道具として健康に役立つ。
【考案を実施するための最高の形態】
【０００９】  自転車のスタンドを立てて静止状態で実施を行う。荷台の支えに本考案の健康器具を取り付ける。２本の軸に取り付けたチョネジの操作で、キャスターがリームを押して回転に強弱の圧力をかけることができる。従って、足踏みペタルの重さ加減を適宜、調整することになる。
【実施例】
【００１０】  以下、添付図面に従って一実施例を説明する。１の厚手の金属板の取り付け大金具と２の取り付け小金具で５の荷台の支えを、６の小ネジで挟み固定し、キャスター１０に結合した左右２本の軸８を３の孔に通して、座金７を用い９のチョウネジで閉め、キャスター１０によってリーム４を押し、自転車の回転に圧力をかける。
【図面の簡単な説明】
【００１１】
【図１】  自転車に取り付けた健康器具の正面図である。
【図２】  軸と金属板の取り付けを示す平面図である。
【図３】  軸とキャスターの結合と、リームの接触を示す平面図である。
【図４】  キャスターと、リームの接触を示す側面図である。
【図５】  キャスターと軸の斜視図である。
【図６】  ネジ止めの軸とキャスターの接続を示す平面図である。
【符号の説明】
【００１２】  １  取り付け大金具
２  取り付け小金具
３  孔
４  リーム
５  荷台の支え
６  小ネジ
７  座金
８  軸
９  チョネジ
１０  キャスター
１１  タイヤ
１２  ネジ止め
【図１】
0003123439.tif 000003
【図２】
0003123439.tif 000004
【図３】
0003123439.tif 000005
【図４】
0003123439.tif 000006
【図５】
0003123439.tif 000007
【図６】
0003123439.tif 000008
【手続補正書】
【提出日】平成18年2月3日(2006.2.3)
【手続補正１】
【補正対象書類名】実用新案登録請求の範囲
【補正対象項目名】全文
【補正方法】変更
【補正の内容】
【実用新案登録請求の範囲】
【請求項１】
金属板の取り付け金具と荷台の支えを、ネジで挟み固定し、キャスターに結合した左右２本の軸を金具の孔に通して、座金を用いチョウネジで閉め、回転するキャスターによってリームを押し、自転車の回転を圧力で調整することを特徴とする健康器具。
【請求項２】
リームに接触するキャスターが、回転を有しない圧力で調整することを特徴とする請求項１記載の健康器具。